(57)【要約】【課題】液圧回路が負圧になってもアキュムレータが機能できるようにする。【解決手段】シリンダ本体１と、前記シリンダ本体１の両端に設けられた側板３ａ，３ｂと、該シリンダ本体１内を液体室５と気体室７とに仕切るピストン９と、前記液体室５側の側板３ａに設けられ、配管１２に接続される給排液口１５と、前記ピストン９を付勢するばね２１と、を備えたばね式アキュムレータＳＡＣＣにおいて、前記ばねは、前記ピストン９と前記気体室７側の側板３ｂとを連結し、前記ピストン９を前記配管１２側の圧力如何にかかわらず、前記給排液口１５から離間せしめるピストン位置規制ばね２１、である。【選択図】    図１
2014137095.tif 000002
【特許請求の範囲】
【請求項１】
シリンダ本体と、前記シリンダ本体の両端に設けられた側板と、該シリンダ本体内を液体室と気体室とに仕切るピストンと、前記液体室側の側板に設けられ、配管に接続される給排液口と、前記ピストンを付勢するばねと、を備えたばね式アキュムレータにおいて、
前記ばねは、前記ピストンと前記気体室側の側板とを連結し、前記ピストンを前記配管側の圧力如何にかかわらず、前記給排液口から離間せしめるピストン位置規制ばね、であることを特徴とするばね式アキュムレータ。
【請求項２】
前記気体室側の側板には、給排気口が設けられていることを特徴とする請求項１記載のばね式アキュムレータ。
【請求項３】
前記液体室には、前記ピストンと前記液体室側の側板とを連結するばねであって、前記ピストンを前記気体室側に付勢する補助ばね、が設けられていることを特徴とする請求項１記載のばね式アキュムレータ。
【請求項４】
前記ピストンは、液体室が大気圧の時には、前記シリンダ本体の中央部に保持されることを特徴とする請求項１記載のばね式アキュムレータ。
【発明の詳細な説明】
【技術分野】
【０００１】
この発明は、脈動吸収などに用いられるばね式アキュムレータに関するものであり、特に、ポンプの吸い込み脈動吸収用のばね式アキュムレータに関するものである。
【背景技術】
【０００２】
液体、例えば、水を液圧回路などに供給する際には、往復動ポンプなどのポンプ、が用いられている。このポンプは、給水行程と排水行程が断続的に繰り返されるため、給水行程では瞬間的に水が吐き出されない現象（脈動現象）が発生する。
【０００３】
前記排水行程では、吐出弁を通って排水された高圧の水は、液圧回路内に吐き出され、又、吸水行程では、排出弁から排出される水が無いために圧力が下がる。
【０００４】
前述のように、ポンプから吐き出された水は、脈動を伴うことは良く知られているが、同時に吸込み側にも脈動が生じている。そこで、前記液圧回路にブラダ型アキュムレータを配設して前記脈動を小さくし、連続的に排水できるようにしている。
【０００５】
通常のアキュムレータは、ブラダ内にガスを充填して、例えば、圧縮倍率２（アキュムレータ本体の容積の1/2）にし、このガス圧よりも高い流体圧力を掛けて使用している。そのため、前記液体回路内の圧力が負圧、即ち、大気圧より小さくなると、ブラダがアキュムレータ本体内で膨らみ、給排液口を塞いでしまうので、アキュムレータが機能しなくなる。前記負圧は、特に、吸い込み圧力が大きいポンプや、吸い込む液がポンプよりも低い位置にある場合（例えば、２ｍ〜９ｍ、離れている場合）に、大きな負圧となる。  
【０００６】
又、脈動吸収のために、ばね式アキュムレータも利用されている。このアキュムレータは、シリンダと、該シリンダの一端に設けられ、給排液口を有する側板と、該シリンダに往復動自在に嵌入したピストンと、該ピストンを給排液口側へ押圧するコイルバネとを備えている。（例えば、特許文献１参照）。
【先行技術文献】
【特許文献】
【０００７】
【特許文献１】実開平８−２４７１０１号公報
【発明の概要】
【発明が解決しようとする課題】
【０００８】
このばね式アキュムレータでは、液圧回路が大気圧の場合には、前記ピストンは前記コイルばねにより押圧されて前記側板に当接するので、前記給排液口は閉鎖状態となる。そのため、液圧回路が負圧になっても、前記ピストンは摺動することができないので、アキュムレータとして機能しなくなる。
【０００９】
この発明は、上記事情に基き、液圧回路が負圧になってもアキュムレータが機能する様にすることを目的とする。
【課題を解決するための手段】
【００１０】
この発明は、シリンダ本体と、前記シリンダ本体の両端に設けられた側板と、該シリンダ本体内を液体室と気体室とに仕切るピストンと、前記液体室側の側板に設けられ、配管に接続される給排液口と、前記ピストンを付勢するばねと、を備えたばね式アキュムレータにおいて、前記ばねは、前記ピストンと前記気体室側の側板と連結し、前記ピストンを前記配管側の圧力如何にかかわらず、前記給排液口から離間せしめるピストン位置規制ばね、であることを特徴とする。
【００１１】
この発明の前記気体室側の側板には、給排気口が設けられていることを特徴とする。この発明の前記液体室には、前記ピストンと前記液体室側の側板とを連結するばねであって、前記ピストンを前記気体室側に付勢する補助ばね、が設けられていることを特徴とする。この発明の前記ピストンは、液体室が大気圧の時には、前記アキュムレータ本体の中央部に保持されることを特徴とする
【発明の効果】
【００１２】
この発明は、以上のように構成したので、ピストンが液体の負圧によって給排液口側に引っ張られても、ピストン位置規制ばねにより気体室側に引っ張られている。そのため、前記ピストンにより給排液口が塞がれることはないので、脈動吸収の機能を維持することができる。
【図面の簡単な説明】
【００１３】
【図１】本発明の第１実施形態を示す縦断面図である。
【図２】本発明の第２実施形態を示す縦断面図である。
【図３】本発明の第３実施形態を示す縦断面図である。
【発明を実施するための形態】
【００１４】
この発明の第１実施形態を図１により説明する。
ばね式アキュムレータＳＡＣＣは、シリンダ本体１と、該シリンダ本体１の両端を閉鎖する側板３ａ，３ｂと、該シリンダ本体１内を液体室５と気体室７に仕切るピストン９、を備えている。一方の側板（液体室５側の側板）３ａには、液圧回路の配管１２と接続される給排液口１５が設けられ、他方の側板（気体室７側の側板）３ｂには、給排気口１７が設けられている。
【００１５】
前記気体室７には、前記側板３ｂと前記ピストン９とを連結する、ピストン位置規制ばね２１が配設されている。このばねは、コイルばねなどの引張ばねであり、所定のばね力で前記ピストン９を前記側板３ｂ側に付勢し、該ピストン９を前記給排液口１５から離間させた位置、例えば、シリンダ本体１の中央の位置、に保持する。このばね２１は、液体室５の圧力が大気圧よりも低くなり（負圧）、前記ピストン９が前記側板３ａ側に摺動しても、該側板３ａに当接するまで移動（ストローク）できないような引っ張りばね力に調整されている。従って、給排液口１５は、液圧回路の圧力如何にかかわらず、常時、開放されており、閉鎖されることはない。
【００１６】
次に、本実施形態の作動について説明する。
液圧回路には、ポンプ（図示省略）とばね式アキュムレータＳＡＣＣが設けられている。前記ポンプは、油タンクから油を吸い込み前記液圧回路に吐き出すもので、モータにより駆動する。前記ばね式アキュムレータＳＡＣＣの給排液口１５は、液圧回路の配管１２に連結されている。気体室７の給排気弁１９は開で、給排気口１７は開放され、大気と連通している。
【００１７】
液圧回路の圧力が上昇すると、ピストン９は前記ばね２１のばね力に抗しながら給排気口１７側に摺動し、９Ａの位置になる。
前記液圧回路の圧力が低下すると、ピストンは前記ばね２１のばね力を受けながら給排液口１５側に摺動し、９の位置になる。
【００１８】
更に、前記液圧路の圧力が低下し、大気圧以下（負圧）になると、ピストン９は、更に給排液口１５側に摺動しようとするが、ピストン９は、前記ばね２１の引張力を受けているので、９Ｂの位置までしか移動できない。この様に負圧の際には、前記ピストン位置規制ばね２１のばね力によりピストン９の摺動範囲（ストローク）が規制されるので、給排液口１５が閉鎖されることがない。
【００１９】
この発明の第２実施形態を図２により説明するが、図１と同一図面符号は、その名称及び機能も同一である。この実施形態と第１実施形態との相違点は、液体室５にコイルばねなどの補助ばね３１を配設したことである。前記補助ばね３１は、ピストン９と側板３ａとを連結するばねであり、前記ピストン９を側板３ｂ側（給排気口１７側）に付勢（圧縮）している。この補助ばね３１のばね力は、前記ピストン位置規制ばね２１と同一であるが、必要に応じて適宜変更することができる。
【００２０】
この実施形態では、ピストン９は、ピストン位置規制ばね２１の引っ張り力と補助ばね３１の圧縮力の合力を受けるので、結果としては、前記ピストン位置規制ばね２１のばね力を強くした効果を得られる。この実施形態は、小さなアキュムレータで、ピストンのストロークが小さい場合で、強いばねを収納するスペースがない場合に、所望の強いばね力を確保することができるので、特に、有効である。
【００２１】
この発明の第３実施形態を図３により説明するが、図１と同一図面符号は、その名称及び機能も同一である。この実施形態は、第１実施形態のばね式アキュムレータＳＡＣＣの設置方法に関するものであるが、この方法は、次の工程を備えている。
「アキュムレータＳＡＣＣの液圧回路接続前」
ばね式アキュムレータＳＡＣＣの気体室７にガス又はエアを封入してピストン９を側板３ａに押し付けて給排液口１５を塞ぐ工程（ピストン９Ｃ参照）。
【００２２】
「アキュムレータＳＡＣＣの液圧回路接続後」
前記アキュムレータの給排液口１５を液圧回路の配管１２に連結する工程と、
呼び液（水）をして液圧回路内に液体を充満させる工程と、
前記給排気口１７を開放して気体室７のガス又はエアを大気開放する工程と、
ばね力によりピストンが摺動し液体が液体室に吸い込まれる工程。
【００２３】
本実施形態では、前記各工程を経るので、簡単に、かつ、設計通りにアキュムレータを設置することができる。
【００２４】
この発明の実施形態は、上記に限定されるものではなく、例えば、気体室を開放する代わりに、ガスやエアを封入して閉鎖しても良い。
【符号の説明】
【００２５】
１        シリンダ本体
３ａ      側板
３ｂ      側板
５        液体室
７        気体室
９        ピストン
１２      配管
１５      給排液口
１７      給排気口
２１      ピストン位置規制ばね
３１      補助ばね
ＳＡＣＣ  ばね式アキュムレータ
【図１】
2014137095.tif 000003
【図２】
2014137095.tif 000004
【図３】
2014137095.tif 000005